【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
背面の上側に上下方向に形成された上側固定孔を有する上側外周壁、下側に上下方向に形成された下側固定孔を有する下側外周壁を立設させた前面パネルと、この前面パネルの背面に取り付けられ、上部に室内ユニット本体に前記前面パネルを開閉可能に結合するヒンジと下部に前記室内ユニット本体への前記前面パネルの閉状態を保持するツメの少なくともいずれかが設けられた取付板と、から構成され、室内ユニット本体の前面に装着される前面パネル体と、
前記取付板の上側に前記上側外周壁の立設方向と同じ方向に立設される上側外壁と、
前記取付板の下側に前記下側外周壁の立設方向と同じ方向に立設される下側外壁と、
前記上側外壁の外面から上方に突設される上側挿入突起と、
前記下側外壁の外面から下方に突設される下側挿入突起と、
を備え、
前記上側固定孔に前記上側挿入突起が挿入されるとともに、前記下側固定孔に前記下側挿入突起が挿入され、前記上側外壁の外面と前記上側外周壁の内面、および前記下側外壁の外面と前記下側外周壁の内面とがそれぞれ接触もしくは近接し、前記取付板が前記前面パネルの背面に固定されることを特徴とする空気調和機の室内ユニット。
【請求項２】
背面の上側に上側外周壁、下側に下側外周壁を立設させた前面パネルと、この前面パネルの背面に取り付けられ、上部に室内ユニット本体に前記前面パネルを開閉可能に結合するヒンジと下部に前記室内ユニット本体への前記前面パネルの閉状態を保持するツメの少なくともいずれかが設けられた取付板と、から構成され、室内ユニット本体の前面に装着される前面パネル体と、
前記取付板の上側に前記上側外周壁の立設方向と同じ方向に立設されるとともに、上下方向に形成された上側固定孔を有する上側外壁と、
前記取付板の下側に前記下側外周壁の立設方向と同じ方向に立設されるとともに、上下方向に形成された下側固定孔を有する下側外壁と、
前記上側外周壁の内面から下方に突設される上側挿入突起と、
前記下側外周壁の内面から上方に突設される下側挿入突起と、
を備え、
前記上側固定孔に前記上側挿入突起が挿入されるとともに、前記下側固定孔に前記下側挿入突起が挿入され、前記上側外壁の外面と前記上側外周壁の内面、および前記下側外壁の外面と前記下側外周壁の内面とがそれぞれ接触もしくは近接し、前記取付板が前記前面パネルの背面に固定されることを特徴とする空気調和機の室内ユニット。
【請求項３】
前記上側挿入突起と前記上側固定孔の嵌合および前記下側挿入突起と前記下側固定孔の嵌合がすきま嵌めであることを特徴とする請求項１または請求項２に記載の空気調和機の室内ユニット。
【請求項４】
前記上側外壁の立設方向の先端が前記上側外周壁の立設方向の先端と略同じ高さであり、かつ前記下側外壁の立設方向の先端が前記下側外周壁の立設方向の先端と略同じ高さであることを特徴とする請求項１から請求項３のいずれかに記載の空気調和機の室内ユニット。
【請求項５】
前記ヒンジは、
前記前面パネル体の上方に向かって屈曲する略Ｌ字状のアームと、
このアームの端部に設けられ、前記前面パネル体を前記室内ユニット本体に対して上下方向に開閉可能に回動させる回動軸もしくは回動軸受と、を備え、
前記回動軸もしくは前記回動軸受が、前記上側外周壁の立設方向の先端より高く位置するとともに、その上下方向の位置が、前記上側外周壁の近傍であることを特徴とする請求項１から請求項３のいずれかに記載の空気調和機の室内ユニット。
【請求項６】
前記室内ユニット本体は、
室内空気を吸い込む室内ファンや前記室内空気を熱交換する室内熱交換器を固定する台枠と、
この台枠の前面側に配置され、前記室内ファンと前記室内熱交換器を収納する前面枠と、
この前面枠の前面側に形成され、前記前面パネル体が閉状態の時に、前記下側外周壁および前記下側外壁を収納する収納溝と、
を備えたことを特徴とする請求項１に記載の空気調和機の室内ユニット。
【請求項７】
前記前面パネルの背面側の側面に立設される側面外周壁と、
前記取付板の側面に前記側面外周壁の立設方向と同じ方向に立設される側面外壁と、を備え、
前記側面外壁の立設方向の先端が前記側面外周壁の立設方向の先端と略同じ高さであって、前記側面外壁の外面と前記側面外周壁の内面とが接触もしくは近接することを特徴とする請求項１から請求項３のいずれかに記載の空気調和機の室内ユニット。
【請求項８】
前記アームが、前記上側挿入突起と上下方向に同一線上に位置するように、もしくは前記取付板の左右方向で複数の前記上側挿入突起の間に位置するように前記取付板に設けられていることを特徴とする請求項５に記載の空気調和機の室内ユニット。
【請求項９】
前記ツメが、前記下側挿入突起と上下方向に同一線上に位置するように、もしくは前記取付板の左右方向で複数の前記下側挿入突起の間に位置するように前記取付板に設けられていることを特徴とする請求項１から請求項３のいずれかに記載の空気調和機の室内ユニット。
【請求項１０】
前記取付板の前記ヒンジが設けられる側と反対側で、前記取付板の前記アームの根元部分と前記前面パネルの間に空間を備えたことを特徴とする請求項５に記載の空気調和機の室内ユニット。
【請求項１１】
前記下側外壁の上部近傍に、前記取付板を前後方向に貫通する開口部を備えたことを特徴とする請求項１から請求項３のいずれかに記載の空気調和機の室内ユニット。
【請求項１２】
前記前面パネルは、前記前面パネル体の長手方向略中央部で、前記下側外周壁の外面から突出する留め突起もしくは前記下側外周壁の外面に凹設された留め穴を有し、
前記前面枠は、前記収納溝の底面に形成され、前記留め突起を引っ掛ける掛かり突起もしくは前記留め突起を周縁に引っ掛ける掛かり穴を、または前記留め穴の周縁に引っ掛かる掛かり突起を備えたことを特徴とする請求項６に記載の空気調和機の室内ユニット。
【請求項１３】
前記下側挿入突起が前記下側固定孔を貫通し、その突端部分が前記下側外周壁の外面から突出して、この突出した前記下側挿入突起の突端部分が、前記収納溝の底面に形成された掛かり突起、もしくは掛かり穴の周縁に引っ掛かり、前記室内ユニット本体に対して前記前面パネル体の閉状態を保持することを特徴とする請求項６に記載の空気調和機の室内ユニット。
【請求項１４】
前記前面パネルが透明材料もしくは半透明材料で形成されるとともに、その背面には白やベージュ色の塗装による意匠層が設けられ、
前記室内ユニット本体が、内部に発光ダイオードを有してこの発光ダイオードの光を表示窓から照射する表示機構を備え、
この表示機構の表示窓から照射される光が、閉状態にある前記前面パネルを前記意匠層も含めて透過して、前記前面パネルの正面に温度情報や運転情報を表示するものであって、
前記取付板が前記意匠層上に取り付けられるとともに、前記表示機構が前記取付板と干渉しない位置に配置されていることを特徴とする請求項１から請求項３のいずれかに記載の空気調和機の室内ユニット。
【請求項１５】
固定孔を有して背面の四方外周に外周壁を立設させた前面パネルと、この前面パネルの背面に取り付けられ、上部に室内ユニット本体に前記前面パネルを開閉可能に結合するヒンジと下部に前記室内ユニット本体への前記前面パネルの閉状態を保持するツメの少なくともいずれかが設けられた取付板と、から構成される前面パネル体を室内ユニット本体の前面に装着し、
前記取付板が、前記外周壁の立設方向と同じ方向に立設する外壁と、この外壁の外面から突設する挿入突起と、を有し、前記外周壁の固定孔に前記挿入突起が挿入されることで前記前面パネルの背面に固定され、
前記前面パネルが、透明材料もしくは半透明材料で形成されるとともに、その背面に白やベージュ色の塗装による意匠層が設けられ、
前記室内ユニット本体が、内部に発光ダイオードを有してこの発光ダイオードの光を表示窓から照射する表示機構を備え、
この表示機構の表示窓から照射される光が、閉状態にある前記前面パネルを前記意匠層も含めて透過して、前記前面パネルの正面に温度情報や運転情報を表示するものであって、
前記取付板が前記意匠層上に取り付けられるとともに、前記表示機構が前記取付板と干渉しない位置に配置されていることを特徴とする空気調和機の室内ユニット。
【請求項１６】
背面の上側に上側外周壁、下側に下側外周壁を立設させた前面パネルと、この前面パネルの背面に取り付けられ、上部に室内ユニット本体に前記前面パネルを開閉可能に結合するヒンジと下部に前記室内ユニット本体への前記前面パネルの閉状態を保持するツメの少なくともいずれかが設けられた取付板と、から構成され、室内ユニット本体の前面に装着される前面パネル体の取付板の取り付け方法であって、
前記取付板の上側に前記上側外周壁の立設方向と同じ方向に立設される上側外壁の外面から上方に突設される上側挿入突起を、前記上側外周壁に上下方向に形成された上側固定孔に挿入し、前記上側外壁の外面を前記上側外周壁の内面に接触もしくは近接させるステップと、
前記取付板を前記前面パネルの背面に沿わせるステップと、
前記取付板の下側に前記下側外周壁の立設方向と同じ方向に立設される下側外壁もしくは前記下側外周壁の少なくともどちらかを互いが引き離れる上下方向に弾性変形させて、前記下側外周壁の立設方向の先端を前記下側外壁の外面から下方に突設される下側挿入突起に乗り越えさせるステップと、
前記下側挿入突起を前記下側外周壁に上下方向に形成された下側固定孔まで導くステップと、
前記下側固定孔に前記下側挿入突起を挿入し、弾性変形させた前記下側外壁もしくは前記下側外周壁の弾性変形を解除し、前記下側外壁の外面を前記下側外周壁の内面に接触もしくは近接させるステップと、
を備えたことを特徴とする前面パネル体の取付板の取り付け方法。
【手続補正２】
【補正対象書類名】明細書
【補正対象項目名】０００７
【補正方法】変更
【補正の内容】
【０００７】
この発明に係る空気調和機の室内ユニットは、背面の上側に上下方向に形成された上側固定孔を有する上側外周壁、下側に上下方向に形成された下側固定孔を有する下側外周壁を立設させた前面パネルと、この前面パネルの背面に取り付けられ、上部に室内ユニット本体に前面パネルを開閉可能に結合するヒンジと下部に室内ユニット本体への前面パネルの閉状態を保持するツメの少なくともいずれかが設けられた取付板と、から構成され、室内ユニット本体の前面に装着される前面パネル体と、取付板の上側に上側外周壁の立設方向と同じ方向に立設される上側外壁と、取付板の下側に下側外周壁の立設方向と同じ方向に立設される下側外壁と、上側外壁の外面から上方に突設される上側挿入突起と、下側外壁の外面から下方に突設される下側挿入突起と、を備え、上側固定孔に上側挿入突起が挿入されるとともに、下側固定孔に下側挿入突起が挿入され、上側外壁の外面と上側外周壁の内面、および下側外壁の外面と下側外周壁の内面とがそれぞれ接触もしくは近接し、取付板が前面パネルの背面に固定されるものである